(57)【要約】【課題】正規のメカニカルキーと異なるメカニカルキーの収容を防止することができる携帯機を提供する。【解決手段】携帯機１１のケース１２には、開口部１５ａを有するシリンダ、当該シリンダ１５の開口部１５ａ内に回動可能に収容されるロータ１６、及び当該ロータ１６内に設けられる複数個の板タンブラ１９を備えたシリンダ機構１４を設けるようにした。そして、ロータ１６の鍵孔１８にメカニカルキー１３を挿入することにより、当該ロータ１６に設けられた複数個の板タンブラ１９を回動不能位置から回動許容位置へ移動させるとともに、当該メカニカルキー１３の回動操作によりロータ１６を着脱位置から保持位置へ回動させるようにした。これにより、当該メカニカルキー１３をロータ１６に対して脱落不能に保持するようにした。このため、正規のメカニカルキー１３のみロータ１６の鍵孔１８に挿入可能となる。【選択図】図２
2007277921.tif 000002
【特許請求の範囲】
【請求項１】
所定の無線通信を通じて特定の錠を電子的に施解錠する携帯機であって、
前記携帯機のケースに収容固定されるとともに、一端に開口部を有するシリンダと、
前記シリンダの開口部内に回動可能に収容されるとともに、前記特定の錠を機械的に施解錠するメカニカルキーを挿入可能とした鍵孔を有するロータと、
前記ロータ内に設けられるとともに、前記ロータの鍵孔にメカニカルキーが挿入されていない状態においてロータの外周面から突出して前記シリンダの内周面に設けられた係合凹部に係合することにより当該ロータの回動を規制する回動不能位置と、前記ロータの鍵孔に挿入されるメカニカルキーと係合することにより当該ロータの外周面に対して面一又は内側に位置することにより当該ロータの回動を許容する回動許容位置との間を移動する複数個のタンブラと、を備え、
前記ロータの鍵孔に前記メカニカルキーを挿入することにより、当該ロータに設けられた複数個のタンブラを回動不能位置から回動許容位置へ移動させるとともに、当該メカニカルキーの回動操作により前記ロータを回動させ、これにより当該メカニカルキーをロータに対して脱落不能に保持するようにした携帯機。
【請求項２】
請求項１に記載の携帯機において、
前記ロータは、前記シリンダの係合凹部にタンブラが一致するとともに前記メカニカルキーの抜き差しが可能となる着脱位置と、前記シリンダの係合凹部にタンブラが不一致となるとともに当該タンブラと前記メカニカルキーとが係合状態に保持されることにより当該メカニカルキーがロータに対して脱落不能に保持される保持位置との間を移動するようにし、
前記シリンダと前記ロータとの間には、前記メカニカルキーによるロータの着脱位置から保持位置へ向けての回動操作にあたって、前記保持位置を越えるロータの回動を規制するとともに、前記メカニカルキーによるロータの保持位置から着脱位置へ向けての回動操作にあたって、前記着脱位置を越えるロータの回動を規制する規制手段を設けるようにした携帯機。
【請求項３】
請求項１又は請求項２に記載の携帯機において、
前記ケースは、直方体状に形成するとともに、前記メカニカルキーの挿入方向が前記ケースの長手方向となるように、前記シリンダ及びロータを設けるようにした携帯機。
【請求項４】
請求項３に記載の携帯機において、
前記ケースの側壁の一端寄りに、前記シリンダ及びロータを設けるようにした携帯機。
【請求項５】
請求項１〜請求項４のうちいずれか一項に記載の携帯機において、
前記メカニカルキーは、前記ロータの鍵孔に挿入されるキープレートと、当該キープレートの一端部に設けられた把持部材とを備え、
ケースの隅角部には、メカニカルキーの把持部材を収容する収容部を切欠形成するとともに、当該収容部の内側面に前記シリンダ及びロータを設けるようにし、
前記ロータの鍵孔にメカニカルキーのキープレートを挿入した状態において、当該メカニカルキーの把持部材が、ケースの側面を延長した輪郭線により囲まれる領域内に位置するように、前記収容部を設けるようにした携帯機。
【請求項６】
前記ロータの鍵孔に挿入されたメカニカルキーの把持部材を覆うカバーを、前記ケースに対して着脱可能に設けるようにした請求項５に記載の携帯機。
【請求項７】
請求項６に記載の携帯機において、
前記カバーをケースに装着したとき、当該カバーの外側面がケースの外側面と面一となるように、当該カバーを設けるようにした携帯機。
【請求項８】
請求項６又は請求項７に記載の携帯機において、
前記カバーは、透明又は半透明にするようにした携帯機。
【請求項９】
請求項１〜請求項８のうちいずれか一項に記載の携帯機において、
前記タンブラは、板タンブラ又はピンタンブラとした携帯機。
【発明の詳細な説明】
【技術分野】
【０００１】
本発明は、所定の無線通信を通じて特定の錠を電子的に施解錠する携帯機に関するものである。
【背景技術】
【０００２】
従来、自動車等の車両においては、ユーザが携帯機を携帯した状態で車両のドアに近づくと自動的にドア錠の施解錠が行われたり、同じく車室内に入って運転席に座るとエンジンの始動を許可したりする電子キーシステムが知られている（例えば、特許文献１参照。）。この電子キーシステムにおいては、携帯機と車両との間で自動的に無線信号による相互通信が行われ、その相互通信が確立した場合に、前記ドア錠の施解錠及びエンジン始動許可等が行われる。詳述すると、車両の制御装置は携帯機の位置を検出するために所定のリクエスト信号を所定の制御周期で車両周辺の所定領域に送信するように構成されており、当該所定領域内に携帯機が進入して前記リクエスト信号を受信すると、当該携帯機は自身に予め記録されたＩＤコードを含むＩＤ信号を送信する。この携帯機からのＩＤ信号を受信した車両の制御装置は当該ＩＤ信号に含まれる携帯機側ＩＤコードと自身に予め記録された車両側ＩＤコードとを比較し、両ＩＤコードが一致したことを条件としてドア錠を自動的に解錠したり、エンジンを始動許可状態にしたりする。
【０００３】
ここで、携帯機のケース内には送受信回路等の電子回路が実装された基板及び当該回路に動作電源を供給する電池が収容されている。携帯機は電池からの電力を使用して車両との間で相互無線通信を行うので、その電池の電圧が所定値以下まで低下したいわゆる電池切れの場合には前記相互無線通信が不能になり、当該通信を通じたドア錠の施解錠及びエンジン始動許可等も不能になる。また、何らかの理由で携帯機が故障した場合にも前記相互無線通信を通じたドア錠の施解錠及びエンジン始動許可等は不能になる。そうした携帯機のいわゆる電池切れや故障等の非常時を想定して、従来、携帯機には機械的にドア錠を施解錠するメカニカルキーが収容されている。そして前述したような非常時においては、ユーザはケースに収容されたメカニカルキーを取り外すとともに、当該メカニカルキーを使用してドア錠を機械的に施解錠する。
【特許文献１】特開２００５−０５４３６８号公報
【発明の開示】
【発明が解決しようとする課題】
【０００４】
ところが前記従来の携帯機においては、次のような問題があった。即ち、正規のメカニカルキーと異なる異品（例えばユーザの車両とは異なる車両のドア錠に対応するメカニカルキー）であれ、携帯機のケースに収容可能となっていた。このため、正規のメカニカルキーと異なるメカニカルキーが前記ケースに収容されるおそれがあり、その場合にはユーザが実際にメカニカルキーを使用したくても使えないという事態が生じる。
【０００５】
本発明は上記問題点を解決するためになされたものであって、その目的は、正規のメカニカルキーと異なるメカニカルキーの収容を防止することができる携帯機を提供することにある。
【課題を解決するための手段】
【０００６】
請求項１に記載の発明は、所定の無線通信を通じて特定の錠を電子的に施解錠する携帯機であって、前記携帯機のケースに収容固定されるとともに、一端に開口部を有するシリンダと、前記シリンダの開口部内に回動可能に収容されるとともに、前記特定の錠を機械的に施解錠するメカニカルキーを挿入可能とした鍵孔を有するロータと、前記ロータ内に設けられるとともに、前記ロータの鍵孔にメカニカルキーが挿入されていない状態においてロータの外周面から突出して前記シリンダの内周面に設けられた係合凹部に係合することにより当該ロータの回動を規制する回動不能位置と、前記ロータの鍵孔に挿入されるメカニカルキーと係合することにより当該ロータの外周面に対して面一又は内側に位置することにより当該ロータの回動を許容する回動許容位置との間を移動する複数個のタンブラと、を備え、前記ロータの鍵孔に前記メカニカルキーを挿入することにより、当該ロータに設けられた複数個のタンブラを回動不能位置から回動許容位置へ移動させるとともに、当該メカニカルキーの回動操作により前記ロータを回動させ、これにより当該メカニカルキーをロータに対して脱落不能に保持するようにしたことをその要旨とする。
【０００７】
この構成によれば、特定の錠を機械的に施解錠する正規のメカニカルキーのみロータの鍵孔に挿入可能となる。このため、正規のメカニカルキーと異なるメカニカルキーはロータの鍵孔に挿入することはできない。
【０００８】
請求項２に記載の発明は、請求項１に記載の携帯機において、前記ロータは、前記シリンダの係合凹部にタンブラが一致するとともに、前記メカニカルキーの抜き差しが可能となる着脱位置と、前記シリンダの係合凹部にタンブラが不一致となるとともに、当該タンブラと前記メカニカルキーとが係合状態に保持されることにより当該メカニカルキーがロータに対して脱落不能に保持される保持位置との間を移動するようにし、前記シリンダと前記ロータとの間には、前記メカニカルキーによるロータの着脱位置から保持位置へ向けての回動操作にあたって、前記保持位置を越えるロータの回動を規制するとともに、前記メカニカルキーによるロータの保持位置から着脱位置へ向けての回動操作にあたって、前記着脱位置を越えるロータの回動を規制する規制手段を設けるようにしたことをその要旨とする。
【０００９】
この構成によれば、メカニカルキーを携帯機に収容保持するにあたって、ロータの保持位置を越える回動が規制手段により規制される。また、ロータに収容保持されたメカニカルキーを携帯機から取り外すにあたって、ロータの着脱位置を越える回動が規制手段により規制される。このため、メカニカルキーの操作位置が明確になる。ユーザはメカニカルキーの操作位置を意識することなく、ロータに差し込んだメカニカルキーを所定の回転方向へ目一杯回すだけでよいので、当該メカニカルキーの着脱操作が簡単になる。
【００１０】
請求項３に記載の発明は、請求項１又は請求項２に記載の携帯機において、前記ケースは、直方体状に形成するとともに、前記メカニカルキーの挿入方向が前記ケースの長手方向となるように、前記シリンダ及びロータを設けるようにしたことをその要旨とする。
【００１１】
この構成によれば、ケース内において、メカニカルキーの挿入長さ分のスペースを容易に確保することができる。
請求項４に記載の発明は、請求項３に記載の携帯機において、前記ケースの側壁の一端寄りに、前記シリンダ及びロータを設けるようにしたことをその要旨とする。
【００１２】
この構成によれば、例えばシリンダ及びロータをケースの側壁の中央付近に設けるようにした場合と異なり、ケース内のスペースが、シリンダ及びロータにより分断されることなく、ひとかたまりのスペースとして有効に利用することができる。
【００１３】
請求項５に記載の発明は、請求項１〜請求項４のうちいずれか一項に記載の携帯機において、前記メカニカルキーは、前記ロータの鍵孔に挿入されるキープレートと、当該キープレートの一端部に設けられた把持部材とを備え、ケースの隅角部には、メカニカルキーの把持部材を収容する収容部を切欠形成するとともに、当該収容部の内側面に前記シリンダ及びロータを設けるようにし、前記ロータの鍵孔にメカニカルキーのキープレートを挿入した状態において、当該メカニカルキーの把持部材が、ケースの側面を延長した輪郭線により囲まれる領域内に位置するように、前記収容部を設けるようにしたことをその要旨とする。
【００１４】
この構成によれば、例えばケースの側面が壁等の物体に接触した場合であれ、メカニカルキーの把持部材はケースの側面から突出することがないので、当該把持部材が前記物体に接触することが回避される。従って、携帯機を携帯する際において、把持部材に過度の負荷が作用することはない。また、例えば携帯機を衣服のポケットに入れて携帯する場合であれ、把持部材が衣服に引っ掛かることが抑制される。
【００１５】
請求項６に記載の発明は、請求項５に記載の携帯機において、前記ロータの鍵孔に挿入されたメカニカルキーの把持部材を覆うカバーを、前記ケースに対して着脱可能に設けるようにしたことをその要旨とする。
【００１６】
この構成によれば、メカニカルキーの把持部材が何らかの物体に接触すること、及び衣服等への引っ掛かりが確実に防止することができる。
請求項７に記載の発明は、請求項６に記載の携帯機において、前記カバーをケースに装着したとき、当該カバーの外側面がケースの外側面と面一となるように、当該カバーを設けるようにしたことをその要旨とする。
【００１７】
この構成によれば、ケース表面において凹凸が無くなり、携帯機の意匠性が高められる。
請求項８に記載の発明は、請求項６又は請求項７に記載の携帯機において、前記カバーは、透明又は半透明にするようにしたことをその要旨とする。
【００１８】
この構成によれば、前記ケースに装着されたメカニカルキーの有無を目視により簡単に確認することができる。
請求項９に記載の発明は、請求項１〜請求項８のうちいずれか一項に記載の携帯機において、前記タンブラは、板タンブラ又はピンタンブラとした携帯機。
【００１９】
タンブラは例えば板タンブラ又はピンタンブラのように、どのようなタイプのものでも使用可能である。
【発明の効果】
【００２０】
本発明によれば、正規のメカニカルキーと異なるメカニカルキーの携帯機への収容を防止することができる。
【発明を実施するための最良の形態】
【００２１】
＜第１の実施の形態＞
以下、本発明を、車両との間の無線通信を通じてドア錠を電子的に施解錠する携帯機に具体化した第１の実施の形態を図１〜図４（ａ），（ｂ）に基づいて説明する。
【００２２】
図１に示すように、携帯機１１は直方体状のケース１２、及び当該ケース１２に抜き差し可能に装着されるメカニカルキー１３を備えている。また、ケース１２の長手方向において互いに反対側に位置する２つの短側壁のうち一方の側壁１２ａの一端寄り（図１における上端寄り）には、ロータリ式のシリンダ機構１４が設けられている。即ち、メカニカルキー１３の挿入方向がケース１２の長手方向となるように、シリンダ機構１４は配設される。
【００２３】
＜シリンダ機構＞
図２に示すように、シリンダ機構１４は、ケース１２の側壁１２ａに開口して形成されたシリンダ収容部１２ｂに収容固定されるとともに、一端に開口部１５ａを有する円筒状のシリンダ１５を備えている。当該シリンダ１５の開口部内には円柱状のロータ１６が回動可能に、且つ当該ロータ１６の一端部に設けられた意匠面１６ａが開口部１５ａから露出するように収容されている。当該ロータ１６の意匠面１６ａにはメカニカルキー１３を挿入可能とした鍵孔１８が、当該ロータ１６の軸方向に沿うように形成されている。
【００２４】
ロータ１６の外周面には、当該ロータ１６の径方向に貫通する複数個（本実施の形態では、８つ）のタンブラ収容孔１７が当該ロータ１６の軸方向において所定間隔毎に形成されている。各タンブラ収容孔１７には、それぞれ板タンブラ１９がロータ１６の外周面１６ｂに対する出没方向へ移動可能に配設されている。
【００２５】
また、ロータ１６の外周面１６ｂにおいて、各タンブラ収容孔１７の一端には、当該各タンブラ収容孔１７と連通するように収容穴２０が併設されている。具体的には、各収容穴２０は、各タンブラ収容孔１７に対して１つおきに互いに反対側（図２における上方及び下方）に開口するように設けられている。そして、各収容穴２０にはそれぞれコイルばね２１が収容されている。
【００２６】
図３（ａ），（ｂ）に示されるように、各板タンブラ１９は、その周面に形成された係合突部２２が収容穴２０内に収容されたコイルばね２１の一端に係合することにより、対応するタンブラ収容孔１７から突出する方向へ付勢される。具体的には、図３（ａ）に示されるように、８枚の板タンブラ１９のうち４枚の板タンブラ１９は、上方に開口した収容穴２０内のコイルばね２１のコイルばね２１の弾性力により上方へ付勢されるとともに、残りの４枚の板タンブラ１９は、下方に開口した収容穴２０内のコイルばね２１の弾性力により下方へ付勢される。
【００２７】
そして、コイルばね２１の弾性力により、各タンブラ収容孔１７、即ちロータ１６の外周面１６ｂから突出した各板タンブラ１９の一端が、図３（ａ），（ｂ）に示されるシリンダ１５の内周面に形成された２つの係合凹部２３ａ，２３ｂに係合することにより、ロータ１６の回動が規制される。具体的には、２つの係合凹部２３ａ，２３ｂは、図３（ａ），（ｂ）における上下方向において互いに対向するように形成されている。そして、上方へ突出する４枚の板タンブラ１９は一方の係合凹部２３ａに係合するとともに、下方へ突出する４枚の板タンブラ１９は他方の係合凹部２３ｂに係合する。
【００２８】
また、図２に示されるように、各板タンブラ１９には、鍵孔１８から挿入されるメカニカルキー１３を挿通可能としたキー挿通孔２４が形成されている。当該キー挿通孔２４の内周面には、正規のメカニカルキー１３と係合することにより、コイルばね２１の弾性力に抗して各板タンブラ１９をロータ１６の外周面１６ｂに対する没入方向へ変位させる照合突部２５が形成されている。そして、正規のメカニカルキー１３の挿入により、全ての板タンブラ１９がロータ１６の外周面１６ｂに対する没入方向へ変位して、当該ロータ１６の外周面１６ｂに対して面一となることによりロック状態が解除され、ロータ１６が回動可能となる。
【００２９】
＜メカニカルキー＞
図２に示すように、メカニカルキー１３は、ロータ１６の鍵孔１８に挿入されるキープレート３１、及びキープレート３１の一端部に設けられた把持部材３２を備えている。キープレート３１の厚み方向における一方面には、メカニカルキー１３の鍵孔１８に対する挿入方向へ延びるキー溝３３が形成されている。キー溝３３において、メカニカルキー１３の鍵孔１８に対する挿入方向に直交する幅方向（図２における上下方向）において互いに対向する２つの内側面３３ａ，３３ｂには、波状の起伏が形成されている。この２つの内側面３３ａ，３３ｂは、各板タンブラ１９の照合突部２５と係合して各板タンブラ１９をロータ１６の外周面１６ｂに対する没入方向へ変位させる照合面として機能する。
【００３０】
２つの内側面３３ａ，３３ｂの起伏は、メカニカルキー１３を鍵孔１８の所定の挿入位置まで差し込んだ状態において、各板タンブラ１９の照合突部２５に対応するように設けられている。即ち、メカニカルキー１３を鍵孔１８に挿入すると、２つの内側面３３ａ，３３ｂの起伏の高低に応じて、各板タンブラ１９はロータ１６の外周面１６ｂに対する没入方向へ変位し、当該メカニカルキー１３が所定の挿入位置まで挿入された状態においてのみ、全ての板タンブラ１９がロータ１６の外周面１６ｂに対して面一となる。これにより、正規のメカニカルキー１３を使用する場合にのみ、ロータ１６の鍵孔１８への挿入及びロータ１６の回動操作が可能となる。なお、メカニカルキー１３の一方の内側面３３ａは、８枚の板タンブラ１９のうち上方へ付勢されている４枚の板タンブラ１９の照合突部２５に対応するとともに、他方の内側面３３ｂは、下方へ付勢されている残りの４枚の板タンブラ１９の照合突部２５と対応している。
【００３１】
＜実施の形態の作用＞
次に、前述のように構成した携帯機において、メカニカルキーの着脱の態様について説明する。なお、ロータ１６の鍵孔１８にメカニカルキー１３が挿入されていない状態において、当該ロータ１６は、図３（ａ），（ｂ）に示される着脱位置に保持されている。この着脱位置は、シリンダ１５の２つの係合凹部２３ａ，２３ｂに各板タンブラ１９が一致するとともに、メカニカルキー１３の抜き差しが可能となる位置である。また、ロータ１６が前記着脱位置に保持された状態において、各板タンブラ１９は、図３（ａ），（ｂ）に二点鎖線で示される回動不能位置に保持されている。この回動不能位置は、各板タンブラ１９が、ロータ１６の外周面１６ｂから突出してシリンダ１５の内周面に設けられた２つの係合凹部２３ａ，２３ｂに係合することにより当該ロータ１６の回動を規制する位置である。
【００３２】
さて、メカニカルキー１３を携帯機１１に装着する場合には、メカニカルキー１３をロータ１６の鍵孔１８に挿入する。このメカニカルキー１３の挿入に伴って、各板タンブラ１９は、２つの内側面３３ａ，３３ｂの起伏の高低に応じて、ロータ１６の外周面１６ｂに対する没入方向へ変位する。そして、当該メカニカルキー１３が鍵孔１８に対する所定の挿入位置まで挿入されたとき、各板タンブラ１９は、図３（ａ），（ｂ）に実線で示される回動許容位置へ変位する。この回動許容位置は、各板タンブラ１９が、ロータ１６の鍵孔１８に挿入されるメカニカルキー１３と係合することにより当該ロータ１６の外周面１６ｂに対して面一となるとともに、当該ロータ１６の回動が許容される位置である。
【００３３】
そして、各板タンブラ１９の２つの係合凹部２３ａ，２３ｂに対する係合状態が解除された状態で、メカニカルキー１３を所定方向（例えば右方向）へ回動操作することにより、ロータ１６を図４（ａ），（ｂ）に示される保持位置まで回動させる。この保持位置は、シリンダ１５の係合凹部２３ａ，２３ｂに各板タンブラ１９が不一致となるとともに、当該各板タンブラ１９とメカニカルキー１３とが係合状態に保持されることにより当該メカニカルキー１３がロータ１６に対して脱落不能に保持される位置である。
【００３４】
従って、メカニカルキー１３を挿入した状態で、ロータ１６を前記保持位置まで回動させることにより、当該メカニカルキー１３はロータ１６に対して脱落不能に保持される。即ち、各板タンブラ１９と２つの係合凹部２３ａ，２３ｂとが不一致となる位置においては、各板タンブラ１９はロータ１６の外周面１６ｂから突出不能となる。このため、メカニカルキー１３の２つの内側面３３ａ，３３ｂの起伏と各板タンブラ１９の照合突部２５とは、互いに係合状態に保持される。この係合関係により、メカニカルキー１３はロータ１６の鍵孔１８から引き抜き不能又は脱落不能に保持される。
【００３５】
次に、メカニカルキー１３を携帯機１１から取り外す場合には、ロータ１６を前記保持位置から前記着脱位置まで回動させればよい。これにより、各板タンブラ１９は、シリンダ１５の係合凹部２３ａ，２３ｂに一致し、メカニカルキー１３を取り外し可能となる。
【００３６】
＜実施の形態の効果＞
従って、本実施の形態によれば、以下の効果を得ることができる。
（１）携帯機１１のケース１２には、開口部１５ａを有するシリンダ、当該シリンダ１５の開口部１５ａ内に回動可能に収容されるロータ１６、及び当該ロータ１６内に設けられる複数個の板タンブラ１９を備えたシリンダ機構１４を設けるようにした。そして、ロータ１６の鍵孔１８にメカニカルキー１３を挿入することにより、当該ロータ１６に設けられた複数個の板タンブラ１９を回動不能位置から回動許容位置へ移動させるとともに、当該メカニカルキー１３の回動操作によりロータ１６を着脱位置から保持位置へ回動させるようにした。これにより、当該メカニカルキー１３をロータ１６に対して脱落不能に保持するようにした。
【００３７】
このため、正規のメカニカルキー１３のみロータ１６の鍵孔１８に挿入可能となる。従って、正規のメカニカルキー１３と異なるメカニカルキーはロータ１６の鍵孔１８に挿入することはできない。また、例えば第三者による正規のメカニカルキー１３の盗難等に対する抑止効果が得られる。そして、正規のメカニカルキー１３が盗難されたような場合には、当該キーが無くなっていることがすぐに分かる。従って、ユーザは、メカニカルキー１３の盗難に対する何らかの対応を迅速にとることができ、メカニカルキー１３の不正使用に対する防犯性が高められる。
【００３８】
（２）メカニカルキー１３の挿入方向が直方体状のケース１２の長手方向となるように、シリンダ１５及びロータ１６を設けるようにした。このため、ケース１２内において、メカニカルキー１３の挿入長さ分のスペースを容易に確保することができる。
【００３９】
（３）ケース１２の側壁１２ａの一端寄りに、シリンダ１５及びロータ１６を設けるようにした。このため、例えばシリンダ１５及びロータ１６をケース１２の側壁１２ａの中央付近に設けるようにした場合と異なり、ケース１２内のスペースが、シリンダ１５及びロータ１６により分断されることなく、ひとかたまりのスペースとして有効に利用することができる。
【００４０】
（４）シリンダ機構１４の構成部材として、板タンブラ１９を採用した。板タンブラ１９は広く普及していることもあり、一般に安価である。このため、シリンダ機構１４、ひいては携帯機１１のコストの低減化が図られる。
【００４１】
＜第２の実施の形態＞
次に、本発明の第２の実施の形態を説明する。本実施の形態は、シリンダ１５及びロータ１６の内端部の構成の点で、前記第１の実施の形態と異なる。
【００４２】
図５（ａ），（ｂ）に示すように、シリンダ１５の内端部は開口されるとともに、当該内端部の周縁部には、切欠部４１が形成されることにより、２７０°程度の円弧状の規制部材４２が形成されている。一方、ロータ１６の内端面には、直方体状の係合部材４３が突設されている。係合部材４３は、ロータ１６の側方へ若干突出しているとともに、前記規制部材４２の周方向における２つの端面である第１及び第２の規制面４２ａ，４２ｂに係合可能とされている。ロータ１６が前記着脱位置にある場合には、係合部材４３は第１の規制面４２ａに係合するとともに、ロータ１６が前記保持位置にある場合には、係合部材４３は第２の規制面４２ｂに係合する。
【００４３】
このため、メカニカルキー１３によるロータ１６の着脱位置から保持位置へ向けての回動操作にあたって、前記保持位置を越えるロータ１６の回動は係合部材４３が第２の規制面４２ｂに当接することにより規制される。また、メカニカルキー１３によるロータ１６の保持位置から着脱位置へ向けての回動操作にあたって、前記着脱位置を越えるロータ１６の回動は係合部材４３が第１の規制面４２ａに当接することにより規制される。なお、規制部材４２は本発明の規制手段に相当する。
【００４４】
従って、本実施の形態によれば、メカニカルキー１３の着脱にあたって、係合部材４３が第１及び第２の規制面４２ａ，４２ｂに当接することにより、メカニカルキー１３の操作位置が明確になる。ユーザはメカニカルキー１３の操作位置を意識することなく、ロータ１６に差し込んだメカニカルキー１３を所定の回転方向へ目一杯回すだけでよいので、当該メカニカルキー１３の着脱操作が簡単になる。
【００４５】
＜第３の実施の形態＞
次に、本発明の第３の実施の形態を説明する。本実施の形態は、ケース１２の形状の点で、前記第１及び第１の実施の形態と異なる。
【００４６】
図６に示されるように、ケース１２の隅角部には、メカニカルキー１３の把持部材３２を収容する収容部５１が切欠形成されている。この収容部５１を構成する２つの側面５１ａ，５１ｂにおいて、ケース１２の側壁１２ａと平行をなす一方の側面５１ａには、シリンダ機構１４が設けられている。そして、収容部５１は、ロータ１６の鍵孔１８にメカニカルキー１３を挿入した状態において、当該メカニカルキー１３の把持部材３２がケース１２の側面を延長した輪郭線５２により囲まれる領域内に位置するように設けられている。
【００４７】
このため、例えばケース１２の側面が壁等の物体に接触した場合であれ、メカニカルキー１３の把持部材３２はケース１２の側面から突出することがないので、当該把持部材３２が前記物体に接触することが回避される。従って、携帯機１１を携帯する際において、把持部材３２に過度の負荷が作用することはない。また、例えば携帯機１１を衣服のポケットに入れて携帯する場合であれ、把持部材３２が衣服に引っ掛かることが抑制される。
【００４８】
なお、図６に示されるように、ロータ１６の鍵孔１８に挿入されたメカニカルキー１３の把持部材３２を覆うカバー５３をケース１２に対して着脱可能に設けるようにしてもよい。このようにすれば、メカニカルキー１３の把持部材３２が何らかの物体に接触すること、及び衣服等への引っ掛かりが確実に防止することができる。また、カバー５３を設けるようにした場合、当該カバー５３をケース１２に装着したとき、当該カバー５３の外側面がケース１２の外側面と面一となるように、当該カバー５３を設けることが望ましい。このようにすれば、ケース１２の表面において凹凸が無くなり、携帯機１１の意匠性が高められる。さらに、カバー５３は、透明又は半透明にすることが好ましい。このようにすることで、ケース１２に装着されたメカニカルキー１３の有無を目視により簡単に確認することができる。
【００４９】
＜第４の実施の形態＞
次に、本発明の第４の実施の形態を説明する。本実施の形態は、タンブラの形状の点で前記第１の実施の形態と異なる。また、本実施の形態では、メカニカルキー１３として、キープレート３１の幅方向における側面にキー溝を形成したいわゆる外溝キーを採用している。
【００５０】
図７（ａ）に示すように、シリンダ１５の内周面にはピン係合孔６１が形成されている。ロータ１６にはピン収容孔６２が鍵孔１８に連通するとともに、シリンダ１５のピン係合孔６１と一致するように設けられている。各ピン収容孔６２にはピンタンブラ６３が収容されるとともに、当該ピンタンブラ６３とピン係合孔６１の内底面との間にはコイルばね６４が介在されている。ピンタンブラ６３は、コイルばね６４の弾性力によりロータ１６の外周面１６ｂに対する没入方向へ付勢される。
【００５１】
ピンタンブラ６３は、その長手方向において、タンブラピン６５及びドライバピン６６の２つの部材に分割されている。図７（ｂ）に示されるように、メカニカルキー１３がロータ１６の鍵孔１８に挿入されていない状態においては、ピンタンブラ６３を構成するドライバピン６６がピン係合孔６１内に進入した状態に保たれる（回動不能位置）。このため、ドライバピン６６がピン係合孔６１の内周面に係合することにより、ロータ１６の回動が規制される。
【００５２】
そして、図７（ｃ），（ｄ）に示されるように、メカニカルキー１３がロータ１６の鍵孔１８に挿入されることにより、各ピンタンブラ６３は、キープレート３１の幅方向における一側面に形成されたキー溝の深さに応じて、ロータ１６の外周面１６ｂに対する突出方向へ変位する。そして、当該メカニカルキー１３が鍵孔１８に対する所定の挿入位置まで挿入されたとき、各ピンタンブラ６３は、ドライバピン６６の外端面（図７（ｃ）における上端面）と、ロータ１６の外周面とが面一になる。これにより、ロータ１６は回動可能となる。即ち、メカニカルキー１３を回動操作すると、ドライバピン６６はシリンダ１５内に残った状態で、タンブラピン６５はロータ１６と一緒に回動する。
【００５３】
従って、本実施の形態によっても、正規のメカニカルキー１３のみロータ１６の鍵孔１８に挿入可能とすることができる。
＜他の実施の形態＞
なお、本実施形態は、次のように変更して実施してもよい。
【００５４】
・第１〜第３の実施の形態では、各板タンブラ１９の端部がロータ１６の外周面１６ｂに対して面一となる位置を回動許容位置としたが、当該ロータ１６の外周面１６ｂよりも内側の位置を回動許容位置としてもよい。
【００５５】
・第１〜第４の実施の形態において、メカニカルキー１３のキープレート３１及び把持部材３２は、例えばアルミニウム等の金属材料により一体形成するようにしてもよい。
・第１〜第３の実施の形態では、メカニカルキー１３として、キープレート３１の厚み方向における側面にキー溝３３を形成したいわゆる内溝キーを採用したが、図７（ｄ）に示されるように、キープレート３１の幅方向における側面にキー溝を形成したいわゆる外溝キーを採用するようにしてもよい。
【００５６】
・第１〜第３の実施の形態では、キー溝をキープレート３１の一方面にのみ形成したいわゆる片溝キーとしたが、他方面にもキー溝を形成することによりいわゆる両溝キーとしてもよい。
【００５７】
・第１〜第４の実施の形態において、メカニカルキー１３の２つの内側面３３ａ，３３ｂを利用することなく、当該メカニカルキー１３をロータ１６に対して脱落不能に係合保持するようにしてもよい。例えば、図８に示すように、ケース１２内に、図７（ａ）〜図（ｄ）に示されるようなピンタンブラ６３を設け、当該ピンタンブラ６３とキープレート３１の幅方向における側面に形成された複数個の半球状の凹部（ディンプル）７１との係合関係により、メカニカルキー１３をロータ１６に対して脱落不能に保持する。なお、各凹部７１はキー溝を構成する。
【図面の簡単な説明】
【００５８】
【図１】第１の実施の形態における携帯機の概略斜視図。
【図２】同じくシリンダ機構の分解斜視図。
【図３】同じく（ａ）は、メカニカルキーを鍵孔に挿入した状態における図２の１−１線断面図、（ｂ）は図２の２−２線断面図。
【図４】同じく（ａ）は、メカニカルキーを鍵孔して回動させた状態における図２の１−１線断面図、（ｂ）は図２の２−２線断面図。
【図５】（ａ）は、第２の実施の形態におけるシリンダ及びロータの内端部の構成を示す概略斜視図、（ｂ）は、図５（ａ）のＡ矢視図。
【図６】第３の実施の形態におけるケース及びカバーの概略斜視図。
【図７】（ａ）は、第４の実施の形態のメカニカルキーが鍵孔に挿入されていない状態の断面図、（ｂ）は、図７（ａ）の３−３線断面図、（ｃ）は、メカニカルキーが鍵孔に挿入された状態の断面図、（ｄ）は、図７（ｃ）の４−４線断面図。
【図８】第４の実施の形態におけるメカニカルキーの要部斜視図。
【符号の説明】
【００５９】
１１…携帯機、１２…ケース、１３…メカニカルキー、１５…シリンダ、
１５ａ…開口部、１６…ロータ、１８…鍵孔、１９…板タンブラ、
２３ａ，２３ｂ…係合凹部、  ３１…キープレート、３２…把持部材、
４２…規制部材（規制手段）、５１…収容部、５２…輪郭線、５３…カバー、
６３…ピンタンブラ。
【図１】
2007277921.tif 000003
【図２】
2007277921.tif 000004
【図３】
2007277921.tif 000005
【図４】
2007277921.tif 000006
【図５】
2007277921.tif 000007
【図６】
2007277921.tif 000008
【図７】
2007277921.tif 000009
【図８】
2007277921.tif 000010